(57)【要約】【課題】  クロス・トークが発生しない３次元映像を視認することが可能なディスプレイ装置およびその制御方法を提供する。【解決手段】  本発明によるディスプレイ装置は、左眼映像と右眼映像とをフレーム単位で交互的に走査する有機発光パネルと；外部のシャッター眼鏡の左眼シャッターと右眼シャッターとを開閉させるための制御信号を前記シャッター眼鏡に出力する信号送信部と；前記左眼シャッターと前記右眼シャッターとの開閉状態が相互に反対になるように前記信号送信部を制御して、前記左眼シャッターと前記右眼シャッターとの中でいずれか一つの開放の時に開放されるシャッターに対応する映像が表示されて、開放されるシャッターに相反する映像が表示されないように前記有機発光パネルの発光を制御する制御部と；を含むことを特徴とする。【選択図】      図２
2011002815.tif 000002
【特許請求の範囲】
【請求項１】
ディスプレイ装置において、
左眼映像と右眼映像とをフレーム単位で交互的に走査する有機発光パネルと；
外部のシャッター眼鏡の左眼シャッターと右眼シャッターとを開閉させるための制御信号を前記シャッター眼鏡に出力する信号送信部と；
前記左眼シャッターと前記右眼シャッターとの開閉状態が相互に反対になるように前記信号送信部を制御して、前記左眼シャッターと前記右眼シャッターとの中でいずれか一つの開放の時に開放されるシャッターに対応する映像が表示されて、開放されるシャッターに相反する映像が表示されないように前記有機発光パネルの発光を制御する制御部と；
を含むことを特徴とするディスプレイ装置。
【請求項２】
前記制御部は、
前記左眼映像または前記右眼映像が前記有機発光パネルに走査される間に前記有機発光パネルが非発光状態になって、走査が完了された前記左眼映像または前記右眼映像が維持される間に前記有機発光パネルが発光状態になるように前記有機発光パネルを制御することを特徴とする、請求項１に記載のディスプレイ装置。
【請求項３】
前記左眼映像または前記右眼映像が維持される区間は垂直ブランク区間（ｖｅｒｔｉｃａｌ  ｂｌａｎｋ  ｉｎｔｅｒｖａｌ）を含むことを特徴とする、請求項２に記載のディスプレイ装置。
【請求項４】
前記有機発光パネルは、
発光層と；
映像に対応するデータ信号を受信するスイッチング・トランジスタと；
駆動電圧を供給する駆動電圧源と；
前記スイッチング・トランジスタと前記駆動電圧源とに接続され、前記データ信号に対応する電流が前記発光層に流れるように前記駆動電圧を受信する駆動トランジスタと；を含み、
前記制御部は前記非発光状態の間に前記駆動電圧が前記駆動トランジスタに供給されることを遮断することを特徴とする、請求項３に記載のディスプレイ装置。
【請求項５】
前記制御部は開放されるシャッターに対応する映像が表示される発光領域が前記有機発光パネルの上部から下部に移動するように前記有機発光パネルを制御して、
前記有機発光パネルの中で前記発光領域を除いた余りの部分は発光されないことを特徴とする、請求項１に記載のディスプレイ装置。
【請求項６】
前記有機発光パネルは、
発光層と；
映像に対応するデータ信号を受信するスイッチング・トランジスタと；
駆動電圧を供給する駆動電圧源と；
前記スイッチング・トランジスタと前記駆動電圧源とに接続され、前記データ信号に対応する電流が前記発光層に流れるように前記駆動電圧を受信する駆動トランジスタと；
前記駆動トランジスタと前記発光層との間に接続され、前記電流の流れを断続する電流断続トランジスタと；を含み、
前記制御部は前記データ信号を前記スイッチング・トランジスタに印加した後に所定時間が経過すると前記発光層に前記電流が流れないように前記電流断続トランジスタを制御することを特徴とする、請求項５に記載のディスプレイ装置。
【請求項７】
前記左眼シャッターまたは前記右眼シャッターが開放されている時間と閉鎖されている時間とは同一であることを特徴とする、請求項１に記載のディスプレイ装置。
【請求項８】
前記左眼シャッターまたは前記右眼シャッターが開放されている時間はフレーム周期と同一であることを特徴とする、請求項７に記載のディスプレイ装置。
【請求項９】
ディスプレイ装置において、
発光層を含む有機発光パネルと；
外部のシャッター眼鏡の左眼シャッターが開放される時に右眼シャッターが閉鎖されて、前記左眼シャッターが閉鎖される時に前記右眼シャッターが開放される制御信号を出力する信号送信部と；
開放されるシャッターに相反する左眼映像または右眼映像が走査あるいは維持される場合、映像が表示されない非発光状態を前記有機発光パネルに形成する制御部と；
を含むことを特徴とするディスプレイ装置。
【請求項１０】
左眼映像と右眼映像とをフレーム単位で交互的に走査する有機発光パネルを含むディスプレイ装置の制御方法において、
外部のシャッター眼鏡の左眼シャッターと右眼シャッターとを相互に交互的に開閉させるための制御信号を生成して出力する段階と；
前記左眼シャッターと前記右眼シャッターとの中でいずれか一つが開放される時、開放されるシャッターに対応する映像は表示されて、開放されるシャッターに相反する映像は表示されないように前記有機発光パネルの発光を制御する段階と；
を含むことを特徴とするディスプレイ装置の制御方法。
【請求項１１】
前記発光を制御する段階は前記左眼映像または前記右眼映像が前記有機発光パネルに走査される間に前記有機発光パネルが非発光状態になって、走査が完了された前記左眼映像または前記右眼映像が維持される間に前記有機発光パネルが発光状態になるようにすることを特徴とする、請求項１０に記載のディスプレイ装置の制御方法。
【請求項１２】
前記有機発光パネルは発光層と、映像に対応するデータ信号を受信するスイッチング・トランジスタと、駆動電圧を供給する駆動電圧源と、前記スイッチング・トランジスタと前記駆動電圧源とに接続されて前記データ信号に対応する電流が前記発光層に流れるように前記駆動電圧を受信する駆動トランジスタとを含み、
前記発光を制御する段階は、前記非発光状態の間に前記駆動電圧が前記駆動トランジスタに供給されるのを遮断することを特徴とする、請求項１１に記載のディスプレイ装置の制御方法。
【請求項１３】
前記発光を制御する段階は、前記左眼シャッターまたは前記右眼シャッターが開放される間に前記左眼映像または前記右眼映像が表示される発光領域を前記有機発光パネルの上部から下部に移動させることを含み、
前記有機発光パネルの中で前記発光領域を除いた余りの部分は発光されないことを特徴とする、請求項１０に記載のディスプレイ装置の制御方法。
【請求項１４】
前記有機発光パネルは、発光層と、映像に対応するデータ信号を受信するスイッチング・トランジスタと、駆動電圧を供給する駆動電圧源と、前記スイッチング・トランジスタと前記駆動電圧源とに接続されて前記データ信号に対応する電流が前記発光層に流れるように前記駆動電圧を受信する駆動トランジスタと、前記駆動トランジスタと前記発光層との間に接続されて前記電流の流れを断続する電流断続トランジスタとを含み、
前記有機発光パネルを制御する段階は、前記データ信号を前記スイッチング・トランジスタに印加した後に所定時間が経過すると前記電流が流れないように前記電流断続トランジスタを制御することを特徴とする、請求項１３に記載のディスプレイ装置の制御方法。
【発明の詳細な説明】
【技術分野】
【０００１】
本発明はディスプレイ装置およびその制御方法に関わり、より詳しくは３次元映像を表示するディスプレイ装置およびその制御方法に関するものである。
【背景技術】
【０００２】
技術発展によってディスプレイ装置はデジタル・アナログに構わず様々な形態のビデオ信号を処理してディスプレイする。最近、使用者は３次元映像信号である立体映像を使用接近性が容易なモニターまたはテレビ等を通じて視ることができる。立体映像信号は２次元映像信号と違って使用者の右眼と左眼とに従ってコンテンツが分離されることが必要であり、分離されたイメージを使用者の左眼と右眼とに其々にディスプレイすることが必要である。
【０００３】
この時、使用者が右眼と左眼とに其々に分離された映像を利用して立体映像を経験するためにシャッター眼鏡をオン・オフしながら左右画面が交差的に表示されるようにするシャッター・ガラス方式が使用される。
【０００４】
左眼映像と右眼映像とが交互的に表示される場合、左眼映像または右眼映像が同時に使用者に視認されるクロス・トーク（ｃｒｏｓｓ  ｔａｌｋ）を防止するためにシャッター眼鏡の開放周期を調節する方法が使用されることもある。
【発明の概要】
【発明が解決しようとする課題】
【０００５】
本発明はクロス・トークが発生しない３次元映像を視認することが可能なディスプレイ装置およびその制御方法を提供する。
【０００６】
また、本発明はシャッター眼鏡に送信する制御信号の生成が容易なディスプレイ装置およびその制御方法を提供する。
【課題を解決するための手段】
【０００７】
前記目的を達成するために、本発明によるディスプレイ装置は、左眼映像と右眼映像とをフレーム単位で交互的に走査する有機発光パネルと；外部のシャッター眼鏡の左眼シャッターと右眼シャッターとを開閉させるための制御信号を前記シャッター眼鏡に出力する信号送信部と；前記左眼シャッターと前記右眼シャッターとの開閉状態が相互に反対になるように前記信号送信部を制御して、前記左眼シャッターと前記右眼シャッターとの中でいずれか一つの開放の時に開放されるシャッターに対応する映像が表示されて、開放されるシャッターに相反する映像が表示されないように前記有機発光パネルの発光を制御する制御部と；を含むことを特徴とする。
【０００８】
ここで、前記制御部は、前記左眼映像または前記右眼映像が前記有機発光パネルに走査される間に前記有機発光パネルが非発光状態になって、走査が完了された前記左眼映像または前記右眼映像が維持される間に前記有機発光パネルが発光状態になるように前記有機発光パネルを制御してもよい。
【０００９】
ここで、前記左眼映像または前記右眼映像が維持される区間は垂直ブランク区間（ｖｅｒｔｉｃａｌ  ｂｌａｎｋ  ｉｎｔｅｒｖａｌ）を含んでもよい。
【００１０】
ここで、前記有機発光パネルは、発光層と；映像に対応するデータ信号を受信するスイッチング・トランジスタと；駆動電圧を供給する駆動電圧源と；前記スイッチング・トランジスタと前記駆動電圧源とに接続され、前記データ信号に対応する電流が前記発光層に流れるように前記駆動電圧を受信する駆動トランジスタと；を含み、前記制御部は前記非発光状態の間に前記駆動電圧が前記駆動トランジスタに供給されることを遮断してもよい。
【００１１】
また、前記制御部は開放されるシャッターに対応する映像が表示される発光領域が前記有機発光パネルの上部から下部に移動するように前記有機発光パネルを制御して、前記有機発光パネルの中で前記発光領域を除いた余りの部分は発光されなくてもよい。
【００１２】
ここで、前記有機発光パネルは、発光層と；映像に対応するデータ信号を受信するスイッチング・トランジスタと；駆動電圧を供給する駆動電圧源と；前記スイッチング・トランジスタと前記駆動電圧源とに接続され、前記データ信号に対応する電流が前記発光層に流れるように前記駆動電圧を受信する駆動トランジスタと；前記駆動トランジスタと前記発光層との間に接続され、前記電流の流れを断続する電流断続トランジスタと；を含み、前記制御部は前記データ信号を前記スイッチング・トランジスタに印加した後に所定時間が経過すると前記発光層に前記電流が流れないように前記電流断続トランジスタを制御してもよい。
【００１３】
また、前記左眼シャッターまたは前記右眼シャッターが開放されている時間と閉鎖されている時間とは同一であってもよい。
【００１４】
ここで、前記左眼シャッターまたは前記右眼シャッターが開放されている時間はフレーム周期と同一であってもよい。
【００１５】
また、前記目的を達成するために、本発明によるディスプレイ装置は、発光層を含む有機発光パネルと；外部のシャッター眼鏡の左眼シャッターが開放される時に右眼シャッターが閉鎖されて、前記左眼シャッターが閉鎖される時に前記右眼シャッターが開放される制御信号を出力する信号送信部と；開放されるシャッターに相反する左眼映像または右眼映像が走査あるいは維持される場合、映像が表示されない非発光状態を前記有機発光パネルに形成する制御部と；を含むことを特徴とする。
【００１６】
また、前記目的を達成するために、本発明による左眼映像と右眼映像とをフレーム単位で交互的に走査する有機発光パネルを含むディスプレイ装置の制御方法は、外部のシャッター眼鏡の左眼シャッターと右眼シャッターとを相互に交互的に開閉させるための制御信号を生成して出力する段階と；前記左眼シャッターと前記右眼シャッターとの中でいずれか一つが開放される時、開放されるシャッターに対応する映像は表示されて、開放されるシャッターに相反する映像は表示されないように前記有機発光パネルの発光を制御する段階と；を含むことを特徴とする。
【００１７】
ここで、前記発光を制御する段階は前記左眼映像または前記右眼映像が前記有機発光パネルに走査される間に前記有機発光パネルが非発光状態になって、走査が完了された前記左眼映像または前記右眼映像が維持される間に前記有機発光パネルが発光状態になるようにしてもよい。
【００１８】
ここで、前記有機発光パネルは発光層と、映像に対応するデータ信号を受信するスイッチング・トランジスタと、駆動電圧を供給する駆動電圧源と、前記スイッチング・トランジスタと前記駆動電圧源とに接続されて前記データ信号に対応する電流が前記発光層に流れるように前記駆動電圧を受信する駆動トランジスタとを含み、前記発光を制御する段階は、前記非発光状態の間に前記駆動電圧が前記駆動トランジスタに供給されるのを遮断してもよい。
【００１９】
また、前記発光を制御する段階は、前記左眼シャッターまたは前記右眼シャッターが開放される間に前記左眼映像または前記右眼映像が表示される発光領域を前記有機発光パネルの上部から下部に移動させることを含み、前記有機発光パネルの中で前記発光領域を除いた余りの部分は発光されなくてもよい。
【００２０】
ここで、前記有機発光パネルは、発光層と、映像に対応するデータ信号を受信するスイッチング・トランジスタと、駆動電圧を供給する駆動電圧源と、前記スイッチング・トランジスタと前記駆動電圧源とに接続されて前記データ信号に対応する電流が前記発光層に流れるように前記駆動電圧を受信する駆動トランジスタと、前記駆動トランジスタと前記発光層との間に接続されて前記電流の流れを断続する電流断続トランジスタとを含み、前記有機発光パネルを制御する段階は、前記データ信号を前記スイッチング・トランジスタに印加した後に所定時間が経過すると前記電流が流れないように前記電流断続トランジスタを制御してもよい。
【発明の効果】
【００２１】
本発明の一実施形態によればクロス・トークが発生しない３次元映像を視認することが可能なディスプレイ装置およびその制御方法が提供される。
【００２２】
また、本発明の一実施形態によればシャッター眼鏡に送信する制御信号の生成が容易なディスプレイ装置およびその制御方法が提供される。
【図面の簡単な説明】
【００２３】
【図１】本発明の一実施形態によるディスプレイ装置の制御ブロック図である。
【図２】本発明の一実施形態によるディスプレイ装置の第１実施形態による有機発光パネル画素の等価回路図である。
【図３】（Ａ）乃至（Ｅ）は本発明の一実施形態によるディスプレイ装置の第１実施形態による信号波形図である。
【図４】本発明の一実施形態によるディスプレイ装置の第１実施形態による制御方法を説明するためのフローチャートである。
【図５】図５は本発明の一実施形態によるディスプレイ装置の第２実施形態による有機発光パネル画素の等価回路図である。
【図６】（Ａ）乃至（Ｅ）は本発明の一実施形態によるディスプレイ装置の第２実施形態による信号波形図である。
【図７】本発明の他の実施形態によるディスプレイ装置の制御方法を説明するためのフローチャートである。
【発明を実施するための形態】
【００２４】
以下、添付の図面を参考にして本発明の実施形態について本発明が属する技術分野で通常の知識を有する者が容易に実施できるように詳しく説明する。本発明は様々な相異なる形態で具現可能であり、ここで説明する実施形態によって限定されない。本発明を明確に説明するために説明と関係ない部分は省略されていって、明細書の全体を通じて同一または類似な構成要素に関しては同一の参照符号を付けることにする。
【００２５】
図１は本発明の一実施形態によるディスプレイ装置の制御ブロック図である。図示されているように、ディスプレイ装置１００は発光層（図示せず）を含む有機発光パネル１０と、外部のシャッター眼鏡２００に制御信号を出力する信号送信部２０と、これらを制御する制御部３０とを含む。本発明によるディスプレイ装置１００は放送信号を処理して表示するテレビ、コンピューター本体に接続されているモニター、携帯電話のような携帯用端末で具現可能である。このようなディスプレイ装置１００は２次元映像信号、即ち平面映像信号を受信して表示することが可能で、３次元映像信号、即ち立体映像信号を受信して表示することも可能である。立体映像信号は人間の左眼に視認されるための左眼映像と右眼に視認されるための右眼映像とで分離されてあり、分離された映像はフレーム単位で順次的に交替に表示される。
【００２６】
有機発光パネル１０は有機物で成された発光層（ｏｒｇａｎｉｃ  ｌｉｇｈｔ  ｅｍｉｔｔｉｎｇ  ｌａｙｅｒ）を含み、映像に対応するデータ信号によって光を自体的に発光する自体発光パネルに該当する。従って、ディスプレイ装置は液晶表示パネルに必要なバックライト・アセンブリを含まない。本発明による有機発光パネル１０は各画素毎に含まれている複数のトランジスタによって駆動され、一回印加されたデータ信号が次のフレームに該当するデータ信号が印加されるまで維持されるホルド・タイプのディスプレイ・パネルに該当する。有機発光パネル１０は通常的に長方形であり、一つのフレームに対応するデータ信号は有機発光パネル１０の上部から下部方向に順次的に走査される。
【００２７】
信号送信部２０はシャッター眼鏡２００の左眼シャッターと右眼シャッターとを交互的に開放させるための制御信号を生成して、これをシャッター眼鏡２００に送信する。立体映像信号の中で左眼映像は左眼シャッターが開放される時に使用者の左眼に視認され、右眼映像は右眼シャッターが開放される時に使用者の右眼に視認される。信号送信部２０は赤外線送信部を含むことも可能で、制御信号として送出される赤外線信号の強さが特定の臨界値を超過すると左眼シャッターまたは右眼シャッターの中でいずれか一つが開放されて、赤外線信号の強さが特定の臨界値の未満であると余りの一つが開放される。また、信号送信部２０はシャッター眼鏡２００と通信するための有・無線インターフェースを含むことができる。
【００２８】
シャッター眼鏡２００は信号送信部２０から出力される制御信号に同期して左眼シャッターと右眼シャッターとを交替に開閉する。シャッター眼鏡２００は液晶シャッターを含むことができる。
【００２９】
制御部３０は左眼シャッターと前記右眼シャッターの開閉状態が相互に反対になるように信号送信部２０を制御する。本実施形態によるシャッター眼鏡２００は左眼シャッターの開放の時に右眼シャッターが閉鎖されて、左眼シャッターんの閉鎖の時に右眼シャッターが開放される。即ち、左眼シャッターと右眼シャッターとの開閉状態は常に相反して、二つのシャッターが全ての開放または全ての閉鎖はない。また、本実施形態の場合、シャッターが開放されている時間と閉鎖されている時間とは同一である。即ち、シャッターは一定時間開放されていて同一の時間の間に閉鎖され、再び開放と閉鎖を繰り返す。本実施形態によつ場合、前記一定時間は一つのフレームが形成されるフレーム周期Ｔである。
【００３０】
左眼映像と右眼映像とのクロス・トークを防止して、ホルド・タイプのディスプレイ・パネルに発生する残像を防止するために左眼シャッターと右眼シャッターとを全て閉鎖する制御方法が使用されることもある。しかし、このような制御方法の場合、左眼シャッターと右眼シャッターとの状態を二つ（左眼シャッターの開放の時に右眼シャッターが閉鎖される場合、左眼シャッターの閉鎖の時に右眼シャッターが開放される場合）ではなく両シャッターの全てが閉鎖される状態を追加して具現する故にコーディングを伴う制御信号の生成が複雑になる短所が存在する。
【００３１】
また、制御部３０は左眼シャッターと前記右眼シャッターとの中でいずれか一つが開放される時に、開放のシャッターに対応する映像は表示されて開放のシャッターに相反する映像は表示されないように有機発光パネル１０の発光を制御する。前述のように、有機発光パネル１０には映像に対応するデータ信号が順次的に走査されるが、制御部３０によって発光が遮断される場合、有機発光パネル１０には映像が表示されないため、まるでブラック信号が印加されるような効果が発生する。特定の時間の間は映像が表示される発光状態が維持されて、特定の時間の間は映像が表示されない非発光状態が維持されることもある。また、有機発光パネル１０の特定の部分は発光され、他の部分は非発光されることもある。即ち、制御部３０はシャッター眼鏡２００が単純な制御信号を通じて開閉されるようにして、開放されるシャッターと相反する映像が走査されるか維持される場合に有機発光パネル１０から光が出射されないように制御することで映像のクロス・トークが発生しないようにする。
【００３２】
制御部３０は映像に対応するデータ信号を生成する映像信号処理部（図示せず）を含み、データ信号を含む様々な信号を有機発光パネル１０に印加して有機発光パネル１０を駆動させる。制御部３０の機能を行うソフトウェア及びハードウェア的の構成は公知された全ての技術を含む。
【００３３】
図２乃至図４は図１のディスプレイ装置の第１実施形態による制御方法を説明するための図である。図２は有機発光パネル１０の画素の等価回路図であり、図３（Ａ）乃至（Ｅ）は信号波形図であり、図４は制御方法を説明するためのフローチャートである。
【００３４】
図２のように、有機発光パネル１０に含まれる画素Ｐは複数の信号を印加するための複数の信号線と複数のトランジスタ２１、２２、２３とで構成される。各画素Ｐは映像に対応するデータ信号を受信するスイッチング・トランジスタ２１と発光層２５とを含む。スイッチング・トランジスタ２１は 駆動
トランジスタ２２と駆動電圧源２１０とに接続される。駆動電圧Ｖｄｄは駆動トランジスタ２１に供給されて、データ信号に対応する電流は発光層２５に流れる。また、画素Ｐは駆動電圧Ｖｄｄと駆動トランジスタ２２のゲート電極の間でデータ信号に対応する電圧を充電するキャパシタＣ、２６と、駆動電圧源と駆動トランジスタ２２との間に接続されて駆動電圧Ｖｄｄの供給を遮断する電圧断続トランジスタ２３とを更に含む。
【００３５】
画素Ｐの駆動を簡単に調べると次の通りである。スイッチング・トランジスタ２１にゲート信号が印加されると、スイッチング・トランジスタ２１がターン・オンされてデータ信号が画素Ｐに印加される。印加されたデータ信号はキャパシタＣ、２６を充電させて、駆動トランジスタ２２をターン・オンさせる。キャパシタ２６に充電された電圧によって駆動電圧Ｖｄｄと接地端Ｖｓｓとの間に形成されている発光層２５に流れる電流が調節される。発光層２５は電流制御素子であって、流れる電流量によって発光が制御される。もし、電圧断続トランジスタ２３がターン・オフされて駆動電圧Ｖｄｄが駆動トランジスタ２２に供給されないと、駆動トランジスタ２２が駆動されないため発光層２５には電流が流れない。制御部３０は駆動電圧Ｖｄｄを断続するためのイネーブル信号Ｖｄｄ−Ｅｎを電圧断続トランジスタ２３にゲート信号で印加する。制御部３０がイネーブル信号Ｖｄｄ−Ｅｎを電圧断続トランジスタ２３に印加すれば駆動電圧Ｖｄｄが駆動トランジスタ２２に供給されて発光層２５が発光状態になり、イネーブル信号Ｖｄｄ−Ｅｎがディスエーブルされると発光層２５が非発光状態になる。
【００３６】
本実施形態による場合、制御部３０は一つのフレームに該当する左眼映像または右眼映像が有機発光パネル１０に走査される間には映像が表示されない非発光状態になるように有機発光パネル１０を制御して、走査が完了された左眼映像または右眼映像が維持される間に有機発光パネル１０が発光状態になるように有機発光パネル１０を制御する。制御部３０は非発光状態を具現するために映像が走査される間には駆動電圧Ｖｄｄが駆動トランジスタ２２に供給されないように電圧断続トランジスタ２３を制御する。
【００３７】
図３（Ａ）のように、一つのフレームに該当する映像はフレーム周期Ｔ毎に垂直同期信号３００によって区分される。図３（Ｂ）に図示されているようにフレーム周期Ｔは３次元映像３０２が有機発光パネル１０に印加される走査区間ＴＡと、走査された映像が維持される垂直ブランク区間（ｖｅｒｔｉｃａｌ  ｂｌａｎｋ  ｉｎｔｅｒｖａｌ、ＶＢＩ；ＴＢ）とを含む。図３（Ｃ）は一つのフレームに対応する映像が行単位で有機発光パネル１０の上部から下部に、即ち有機発光パネル１０のバーチカル・ラインの数を増加させながら有機発光パネル１０の列方向３３０で印加される時、有機発光パネル１０の映像表示状態、即ち発光状態３１０及び非発光状態３２０を図示する。図３（Ｃ）の横軸は時間を意味して、縦軸は有機発光パネル１０のバーチカル・ラインを意味する。図３（Ｃ）のように右眼映像が有機発光パネル１０の上部から下部に、即ち列方向３３０で走査（矢印で図示）される走査区間ＴＡの間に制御部３０は電圧断続トランジスタ２３を制御して有機発光パネル１０が非発光状態３２０になるようにして、右眼映像の走査が完了した後の維持区間、即ち垂直ブランク区間ＴＢには駆動電圧Ｖｄｄが供給される発光状態３１０を具現する。走査区間ＴＡの間にキャパシタ２６に充電されたデータ信号は維持区間ＴＢになると有機発光パネル１０に表示される。右眼映像が表示された後、同一の過程を通じて左眼映像が表示される。
【００３８】
図３（Ｄ）と図３（Ｅ）とのグラフ３４０，３５０は相互に反対状態を示す右眼シャッターと左眼シャッターとを図示する。右眼シャッターと左眼シャッターとはフレーム周期Ｔの間に開放されて（ｏｎ）、その後フレーム周期Ｔの間に閉鎖される（ｏｆｆ）ことを繰り返す。右眼映像が完全に走査された後に維持される間だけ発光状態が形成されるので使用者は右眼映像だけを視認することになる。右眼映像と左眼映像とが走査される間、即ち一つのフレームに右眼映像と左眼映像とが共に形成される間は非発光状態が維持されるために使用者は右眼映像と左眼映像とが重なった映像を視認することができない。使用者は右眼シャッターが開放される時は右眼映像だけ、左眼シャッターが開放される時は左眼映像だけを視認することになり、このような映像の繰り返しで３次元立体 映像を観ることができる。
【００３９】
使用者が長い時間に映像を視認するためには映像が維持される維持区間ＴＢが十分に確保されることが必要で、維持区間ＴＢの長さは有機発光パネル１０の大きさとパネル駆動速度等によって適切に設定される。維持区間ＴＢは概ねフレーム周期の１０％乃至４０％ほどで設定される。制御部３０は駆動電圧Ｖｄｄを遮断するために電圧断続トランジスタ２３ではなく他の構成またはデバイスを含むことが可能で、ソフトウェア的に駆動電圧Ｖｄｄを遮断することができる。前述のトランジスタのターン・オン/ターン・オフはトランジスタのタイプによって多様に設定されることが可能であり、波形のハイ（ｈｉｇｈ）・ロー（ｌｏｗ）も前述のものによって限定されない。
【００４０】
図４を参照して本実施形態によるディスプレイ装置の制御方法を整理する。まず、制御部３０は信号送信部２０を制御してシャッター眼鏡２００の左眼シャッターと右眼シャッターとを相互に反対に開閉させるための制御信号を生成して出力する（Ｓ１０）。
【００４１】
制御部３０は左眼映像または右眼映像が有機発光パネル１０に走査される間に有機発光パネル１０から光が出射されないように駆動電圧の供給を遮断して、走査された映像が維持される間に有機発光パネル１０が発光状態になるように駆動電圧Ｖｄｄの供給を維持する（Ｓ２０）。
【００４２】
図５乃至図７は図１のディスプレイ装置の第２実施形態による制御方法を説明するための図である。図５は有機発光パネル１０に形成されている画素Ｐ’の等価回路図であり、図６（Ａ）乃至（Ｅ）は信号波形図、図７は制御方法を説明するためのフローチャートである。
【００４３】
図５に図示されているように、本実施形態による画素Ｐ’は電圧断続トランジスタではなく、駆動トランジスタ２２と発光層２５との間に接続されて電流の流れを断続する電流断続トランジスタ２４を含む。もし、電流断続トランジスタ２４がターン・オフされると発光層２５には電流が流れないので、発光が遮断される。
【００４４】
一般的な場合、データ信号は画素に印加された後に次のフレームに対応するデータ信号が印加されるまで維持されて、一つのフレームの間にデータ信号に対応する光が出射しつつある。本実施形態による制御部３０はデータ信号をスイッチング・トランジスタ２１に印加した後に所定時間が経過すると、維持されるデータ信号による発光を防止するために電流断続トランジスタ２４を制御する。即ち、制御部３０はデータ信号が印加された後に発光層２５に電流が流れないようにイネーブル信号Ｅｎを断続することで電流断続トランジスタ２４をターン・オフさせる。
【００４５】
図６（Ａ）乃至（Ｅ）のように、本実施形態による左眼シャッターと右眼シャッターとは一つのフレームに対応する３次元映像３０２が有機発光パネル１０に印加される時点Ｔ１で開放されて次のフレームに対応する映像が有機発光パネル１０に印加される時点Ｔ２で閉鎖される。即ち、シャッターは垂直同期信号３００に同期されて開閉を繰り返す。制御部３０は映像が有機発光パネル１０に印加された後、発光時間ＴＣが経過すると電流断続トランジスタ２４を制御して非発光時間 ＴＰの間に電流が発光層２５に供給されないようにする。図６（Ｃ）のように映像は有機発光パネル１０の上部から下部に有機発光パネル１０のバーチカル・ラインの数が順次的に増加する方向に走査されるので、有機発光パネル１０には映像が表示される発光領域３６０が有機発光パネル１０の上部から下部に移動することで視認される。即ち、現在にフレームの中の一部の映像に対応する発光領域３６０は発光状態になって、所定時間が経過した後に現在にフレームの映像に対応する領域３８２は非発光状態になる。これを通じて、右眼シャッター３４０が開放される時に以前のフレームの左眼映像３８０は視認されなく、左眼シャッター３５０が開放される時に以前のフレームの右眼映像３４０は視認されない。映像が有機発光パネル１０に印加される速度が増加するほど発光時間ＴＣは延長されることができる。
【００４６】
図７を参照して本実施形態によるディスプレイ装置の制御方法を整理する。図４の実施形態と類似にまず、制御部３０は信号送信部２０を制御してシャッター眼鏡２００の左眼シャッターと右眼シャッターとを相互に反対に開閉させるための制御信号を生成して出力する（Ｓ１０）。本実施形態による場合、シャッターは垂直同期信号に同期して開閉される。
【００４７】
制御部３０は左眼シャッターまたは右眼シャッターが開放される間に左眼映像または右眼映像が表示される発光領域が有機発光パネル１０の上部から下部に移動するように発光層２５の発光を遮断する（Ｓ３０）。即ち、制御部３０は映像が走査された後に一定の発光時間ＴＣが経過すると電流断続トランジスタ２４を制御して発光層２５に電流が流されないようにする。開放されるシャッターに対応する映像の一部に該当する発光領域だけが表示されて、発光領域を除いた余りの部分は非発光状態になる。
【００４８】
本発明によるディスプレイ装置は発光層を含む有機発光パネル１０を利用して３次元映像信号を表示する。シャッター眼鏡２００は両方のシャッターが交互的に開放または閉鎖される単純なアルゴリズムによって駆動されて、有機発光パネル１０に形成されているトランジスタ２３，２４を制御することで、非発光を具現する。即ち、ブラック映像を挿入する等のデータ信号の変更なく発光状態を調節することで開放されるシャッターと相反する映像を遮断することができる効果がある。
【００４９】
以上のように本発明の幾つの実施形態が図示及び説明されているが、本発明の属する技術分野の通常の知識を有する当業者であれば本発明の原則や思想の範囲の内で本実施形態の変形が可能であることは明らかである。発明の範囲は添付の請求項とその均等物によって定められる。
【図１】
2011002815.tif 000003
【図２】
2011002815.tif 000004
【図３】
2011002815.tif 000005
【図４】
2011002815.tif 000006
【図５】
2011002815.tif 000007
【図６】
2011002815.tif 000008
【図７】
2011002815.tif 000009